(57)【要約】ヒンジ蓋付きシガレットパックの閉鎖補助部が開示される。前記補助部は、カラー(12)の垂直方向ウエブ(31)と、蓋の前部壁(19)の内側面に設けられた蓋の内側曲折部(25)である。前記蓋の内側曲折部(25)は、縦の凹部(37)を備えており、その相対位置は、ウエブ(31)が蓋の内側曲折部(25)とインターロックする位置に挿通するプロセスが、カラー(12)の頂部横断方向縁部(35)において最大の縁部押圧力が得られたときに始まるように選択される。【選択図】    図４
2008513304.tif 000002
【特許請求の範囲】
【請求項１】
パック部(10)と、パックの後部壁(14)に関節状に取り付けられた蓋(11)と、パック部(10)に配置されたカラー(12)とを有する、特に、シガレット用のヒンジ蓋付きパックであって、前記パックは、カラーの前部壁(28)とカラーの両側部壁(29)を備え、前記両側部壁(29)の領域はパック部(10)から突出し、パックが閉じた位置において、蓋によって抱持されており、前記カラーの前部壁(28)は、切れ込み(30)を区画するためのウエブ(31)を備えており、
蓋の前部壁(19)の内側には、蓋の内側タブ(25)が取り付けられており、前記内側タブ(25)は、その少なくとも一方の側縁部(36)に、カラーの前部壁(28)のウエブ(31)が挿入される１つの凹部(37)を有し、前記ウエブ(31)の一部のエリアが、蓋の内側タブ(25)と蓋の前部壁(19)の間の領域内へと前進する、下記の(a)、(b)を特徴とするヒンジ蓋付きパック。
(a)凹部(37)の相対位置は、ウエブ(31)の、蓋の内側タブ(25)と蓋の前部壁(19)の間のインターロック位置への進入が、カラー(12)に抗する最大の縁部圧力すなわち最大の縁部押圧力が得られたときに開始されるように選択される
(b)縁部圧力すなわち縁部押圧力は、蓋(11)の閉鎖移動中に、蓋の前部壁(19)すなわち蓋の内側タブ(25)がカラーの前部壁(28)の上部横断方向縁部(35)に抗して支持し接触することによって決定される
【請求項２】
最大の縁部圧力は、(仮想の)横断方向線または横断方向面、すなわち、カラー前部壁(28)の横断方向縁部(35)と蓋の関節すなわち蓋(11)とパック部(10)の間にあって、蓋(11)の端部壁(21)に(一時的に)平行に伸びる直線状関節との間に延出する基面(40)によって規定される点を特徴とする請求項１記載のヒンジ蓋付きパック。
【請求項３】
ウエブ(31)のインターロック位置への進入の開始が、ウエブ(31)の円形の遷移部(34)と、蓋の内側タブ(25)の杷持フラップ(38)の内側を向く同様な円形の部分縁部(43)との合致した位置によって決定される点を特徴とする請求項１または２記載のヒンジ蓋付きパック。
【請求項４】
蓋の前部壁(19)とカラーの前部壁(28)の間の押圧量は、０．５mmと２．０mmの間、特に、０．８mmと１．６mmの間であり、前記押圧量(44)は、最大の縁部圧力に達したときのカラーの前部壁(28)の上部領域の(仮想の)変形量に相当する点を特徴とする請求項１〜３のいずれか１記載のヒンジ蓋付きパック。
【請求項５】
凹部(37)によって区画される杷持用フラップ(38)は、エンボス線(39)によって境界が限られ、好ましくは、折り曲げによって予め成形される点を特徴とする請求項１〜４のいずれか１記載のヒンジ蓋付きパック。
【請求項６】
凹部(37)は、好ましくは、１つの切れ込みを形成するための隣接する円弧状の内側縁部(45)によって、杷持用フラップ(38)の限界として、円弧状の部分縁部(43)によって、そして付随的に、同様な円弧状の縁部片(47)によって区画される点を特徴とする請求項１〜５のいずれか１記載のヒンジ蓋付きパック。
【請求項７】
凹部(37)を形成する内側縁部(45)の内側限界に隣接して、凹部(37)内に1つの突出部(46)が形成され、前記突出部(46)は、蓋の内側タブ(25)がウエブ(31)に抗して接触する領域を規定する点を特徴とする請求項１〜６のいずれか１記載のヒンジ蓋付きパック。
【発明の詳細な説明】
【技術分野】
【０００１】
この発明は、特に、シガレット用のヒンジ蓋付きパックに関する。
【背景技術】
【０００２】
前記パックは、パック部とパック部の後部壁に回動可能に取り付けられた蓋と、パック部に配置され、カラーの前部壁とカラーの両側部壁とを備えるカラーとを含み、カラーの上方領域は、閉じた位置においてパック部から突出し蓋により抱持されており、カラーの前部壁は、凹部を区画するためのウエブを備え、蓋の前部壁の内側には、蓋の内側タブが取り付けられており、前記タブは、少なくとも一方の縁部に１つの凹部を有し、蓋が閉じられたとき、カラー前部壁のウエブが前記凹部に進入して、前記ウエブの一部のエリアが、蓋の内側タブと蓋の前部壁との間の領域内へと前進する。
【０００３】
好ましくは、蓋の内側タブの両側に設けられた凹部が、カラーの前部壁のウエブと関連して蓋の閉鎖補助部として機能する(EP0,434,962B1)。
【特許文献１】EP0434962B1
【発明の開示】
【発明が解決しようとする課題】
【０００４】
この発明は、前記閉鎖補助部の改良に関する。
【０００５】
この発明の目的は、したがって、カラーの前部壁のウエブをインターロック位置に導入するプロセスが、ヒンジ蓋の開放を繰り返し行った後であっても、比較的確実であるように閉鎖補助部を有するヒンジ蓋付きパックを設計することである。
【課題を解決するための手段】
【０００６】
この目的を達するために、この発明のヒンジ蓋付きパックは、凹部の相対位置が、ウエブのインターロック位置への進入が、カラーに抗する縁部の圧力が最大になったときに開始され、前記縁部の圧力は、蓋が閉鎖移動中に起きる、蓋の前部壁または蓋の内側タブのカラーの上部横断方向縁部に抗する支持接触によって決定されるように選択される点を特徴とする。
【０００７】
この発明は、蓋の閉鎖移動中に、カラーのウエブのインターロック位置への通り抜けの始まりが、１つの最も望ましい位置で生じるという知見に基づく。これは、閉鎖操作中に、カラーの前部壁の上部の横断方向を向く縁部の領域において、すなわち、上部横断方向縁部の領域において、最大の縁部圧力が作用するときに生じる。この発明によって、この最大の縁部圧力が発生する瞬間に、ウエブの上方縁部すなわちその円形部が、蓋の内側タブの凹部内の決まった位置にセットされる。
【０００８】
この発明によれば、最大の縁部圧力を図形的に規定することが可能である、すなわち、前記圧力は、蓋とパック部の間および蓋とカラーの横断方向縁部の間を直線状の関節を介して延出する１つの(仮想の)基面が、蓋の上部端部壁に平行になったときに発生する。
【０００９】
更に、パックの構造上の相互関係、すなわち、インターロック部材が通り抜ける瞬間に、充分な(最大の)縁部圧力が、蓋の内側タブに付与されるための押圧量が重要である。
【００１０】
この発明の別の特徴は、凹部の造形、すなわち、複数の連続する弧状の凹縁部からの形状である。この押圧量は、蓋が開閉されるときのカラーまたはカラー前部壁の上部の自由な領域の(理論上の)変形である。
【００１１】
発明のさらなる細部は、添付図面を参照しつつ以下にずっと詳細に説明される。
【発明を実施するための最良の形態】
【００１２】
添付図面に表示されるヒンジ蓋付きパックは、通常、(下方の)パック部１０と(上方の)蓋１１とからなる。加えて、カラー１２はヒンジ蓋付きパックの一部である。
【００１３】
パック部１０と蓋１１は、パック前部壁１３、パック後部壁１４および底部壁１５を形成するための予め切断された領域を有する一続きのブランク(図１参照)から構成されている。パックの前部壁１３および後部壁１４は、それぞれ両側に位置する（外側の）側部タブ１６と(内側の）側部タブ１７を有する。内側の側部タブ１７は、その延出部に、低部のコーナータブ１８が形成されており、それが、曲折され完成されたヒンジ蓋付きパックにおいては、内部において底部壁１５と向き合って接する。
【００１４】
同様に、蓋１１もまた、蓋の前部壁１９、蓋の後部壁２０および端部壁２１からなる。蓋の前部壁１９と蓋の後部壁２０は、蓋の側部タブ２２と蓋の側部タブ２３を備えている。これらは、蓋の両側部壁を形成する。蓋の側部タブ２３には、蓋のコーナータブ２４が取り付けられており、端部壁２１の内側と向き合って接している。
【００１５】
蓋の前部壁１９の自由な縁部には、蓋の内側タブ２５が存在する。完成したパックにおいては、これは、蓋の前部壁１９の内側と向き合って接している。共通の曲折縁部は、蓋１１の正面の蓋の閉鎖縁部２６を形成する。蓋１１が閉じられるときは、前記閉鎖縁部は、パックの前部壁１３の上方限界として機能する対向閉鎖縁部２７と向き合って接する。
【００１６】
別体のブランク(図２)からなるカラー１２は、カラーの前部壁２８とカラーの両側部タブ２９を形成する。完成したヒンジ蓋付きパックにおいては、カラーの前部壁２８は、内側において、パックの前部壁１３と向き合って接する。カラーの両側部タブ２９は、パックの側部壁、すなわち、内側の側部タブ１７と向き合って支えられる。カラー１２は、パック部１０に接続されており、カラーの上部片は、パック部１０から多少とも飛び出している。このカラー部片は、パックの閉じた位置では蓋１１によって抱持されているので、カラーの前部壁２８の上部は蓋の内側タブ２５と向き合って接する。
【００１７】
カラーの前部壁２８の領域においては、カラー１２は、切れ込み部３０を有する。これは、側方のウエブ３１によって区画される。(上方の)輪郭が描かれたカラーの縁部３２は、ウエブ３１の領域において、斜め方向を向き上に向かって発散する実質的に垂直なウエブの縁部３３を形成する。これらは、それぞれ、横断方向または水平方向を向く横断方向縁部３５に至る円弧状の遷移部３４と隣接し、前記横断方向縁部３５は、カラーの側部タブ２９の縁部に延出する。
【００１８】
カラー１２は、蓋１１すなわち蓋の内側タブ２５との相互作用において、蓋の正確な閉鎖位置を保証するための補助手段を形成する(図３、図９参照)。このために、蓋の内側タブ２５は、相互の係合、すなわち、カラー１２とのインターロック係合、正確に言えば、カラー１２の縁部ウエブ３１とのインターロック係合が生じるように設計される。蓋の内側タブ２５には、側部余白３６が形成されている。これらは、それぞれ、蓋の内側タブ２５の両側において凹部３７を規定している。閉鎖補助手段の目的は、ウエブ３１と蓋の内側タブ２５、すなわち、蓋の内側タブ２５の凹部３７に隣接する縁部の杷持用フラップ３８とをインターロックさせることである。杷持用フラップ３８は、エンボス線３９によって、蓋の内側タブ２５の他方の部分から区画されている。少なくとも、杷持用フラップ３８の領域においては、蓋の内側タブ２５は、蓋の前部壁１９には接着されていない。閉じられた蓋の杷持位置において、横断方向縁部３５に向き合うウエブ３１の上方の部分領域が、杷持用フラップ３８と蓋の前部壁１９の間、すなわち、杷持位置にある(図４参照)。
【００１９】
要点は、閉鎖運動における蓋１１の繰り返される操作の後であっても、カラー１２と蓋１１の間の杷持すなわちインターロック位置は、信頼性高く保証されているということに尽きる。この目的で、凹部３７の正確な関係位置が、正確に言えば、ヒンジ蓋付きパックの大きさに対応して提供される。ウエブ３１のインターロック位置は、カラー１２の横断方向縁部３５に抗する最大の縁部圧迫の瞬間に、必ず定位置へと通り抜ける(threaded  into)(図６参照)。ウエブ３１の遷移部３４は、この瞬間には、杷持用フラップ３８の円形の部分縁部４３と一致する。
【００２０】
この縁部４３の圧迫すなわち押圧力は、規定するならば、閉鎖移動中の蓋１１によってカラー１２の横断方向縁部３５に付与される圧力である。この圧力は、蓋の前部壁１９すなわち蓋の内側タブ２５の前記横断方向縁部３５に抗する支持的接触に起因して生じる。最大の縁部圧力に達したときの蓋１１の位置は、図形上で示すことができる。このために、１つの仮想横断面、すなわち、１つの基面４０が考慮されるべきである。この基面は、パックの裏面に形成された(紙面に垂直な方向の)直線状の関節４１を介して延出しており、前記関節４１は、蓋１１を蓋の後部壁２０とパックの後部壁１４の領域においてパック部１０に回動可能に接続している。この仮想基面は、前記とは反対側で、蓋の前部壁１９の上部横断方向縁部３５に沿って延出している。最大の縁部圧力、すなわち、蓋の前部壁１９の内側によって、横断方向縁部３５の領域に及ぼされる圧力は、蓋１１の端部壁２１が、規定された基面４０と平行な向きになたときに生じる。それらの関連位置という観点においては、凹部３７は、以下のように配置される。すなわち、蓋の内側タブ２５の面において、規定された最大の縁部圧力が生じたとき、インターロック部材３１、３８が定位置へと通り抜けるプロセスが開始される。この位置は図５に示されている。この位置においては、ウエブ３１は、蓋の前部壁１９の内側に抗する増大圧力の下で円形の遷移部３４の領域と必然的に接する。詳しくは、蓋の内側タブ２５の外側の領域すなわち凹部３７の領域と最初に接する。ウエブ３１の上部区域の蓋の内側タブ２５に抗する接触圧は、閉鎖移動が進につれて、図４に特に認識できるウエブ３１の領域が、杷持フラップ３８の下に押し入ることを保証するように機能する。
【００２１】
インターロック部材の確実な通り抜け過程のためには、特定の縁部圧力が必要である。この圧力が、ヒンジ蓋付きパックの大きさとは無関係に生じることを確実にするには、パックが、特定の選択可能な押圧量４４を有しなければならない(図７，８参照)。これは、ヒンジ蓋付きパックの形状の特殊性から、すなわち、端部壁２１の幅と深さ、および、蓋の後部壁２０の高さから獲得される。図式化されたヒンジ蓋付きパックに基づいて図７、８に示されているこの押圧量４４は、２つの上方限界部の間の間隔、すなわち、カラーの前部壁２８の上部横断方向縁部３５と蓋の前部壁１９の基点４９の間の間隔である。この(仮想)基点４９は、蓋の前部壁１９の内側または蓋の内側タブ２５の内側に位置する。正確に言えば、閉じられた場合の蓋１１の基面４０の部位である(図８参照)。蓋が開かれるにしたがって、―また逆に、開かれた位置から閉じられるにしたがって―、この基点４９は、円弧状の経路を移動する。したがって、蓋が開閉される過程で、１つの(仮想の)オフセット状態が、基点４９とカラーの前部壁２８の横断方向縁部３５との間に発生する。この間隔が、押圧量４４であり、この押圧量４４がカラー１２のウエブ３１の上部領域の対応する変形を生じるので、インターロック配置を誘起するのに充分な縁部の圧縮をもたらす結果となるのである。この大きさは、０．５mmと２．５mmの間である。その最大値と最小値の差は０．８mm〜１．６mmである。
【００２２】
更なる特徴は、凹部３７、すなわち、蓋の内側タブ２５の側縁余白３６の造形である。杷持用クランプ３８は、円形の部分縁部４３によって区画されている。この縁部４３は、凹部３７の最も深い領域としての内側縁部４５内に進入する。この内側縁部４５は、部分縁部４３とは反対側の方向を向いて、同様に円弧状に形成されている。これに、外側すなわち側方を向く弧状の突出部４６が続く。これは、ウエブ３１のための(第２の)杷持用縁部を生じる(図４参照)。この突出部４６は、凹部３７の底部を閉じる部材としての別の円弧状縁部片４７と隣り合う。凹部３７の大きさは、ウエブ３１が、内側縁部４５によって形成された切り込みの領域内に延出するが、なお、前記内側縁部４５から離間するように選択される(図４参照)。その目的は、インターロック部材が通り抜ける間、それら部材の端部位置には、カラー１２またはウエブ３１の自由な端部には圧力が伝達されないことを保証することである。通り抜けを改善し確実なものにするために、杷持用フラップ３８は予備形成すなわちエンボス線３９に沿って予め折り曲げられることができる。
【００２３】
以上に記載した閉鎖補助部は、円形縁部４８、すなわち、断面が丸く直立したパック縁部を有するヒンジ蓋付きパックには特に有利である。パックの内容物として、シガレットブロック５０、すなわち、紙または錫箔製の内側ブランクに包まれたシガレットのグループが示されている。
【００２４】
参照番号一覧
１０…パック部、１１…蓋、１２…カラー、１３…カートン前部壁、１４…パック後部壁、１５…底部壁、１６…側部タブ(外側)、１７…側部タブ(内側)、１８…底部コーナータブ、１９…蓋の前部壁、２０…蓋の後部壁、２１…端部壁、２２…蓋の側部タブ(a)、２３…蓋の側部タブ(i)、２４…蓋のコーナータブ、２５…蓋の内側タブ、２６…蓋の閉鎖縁部、２７…反対側の閉鎖縁部、２８…カラーの前部壁、２９…カラーの側部タブ、３０…切れ込み部、３１…ウエブ、３２…カラーの縁部、３３…ウエブの縁部、３４…遷移部、３５…横断方向縁部、３６…側部余白、３７…凹部、３８…杷持用フラップ、３９…エンボス線、４０…基面、４１…直線状関節、４３…部分縁部、４４…押圧量、４５…内側縁部、４６…突出部、４７…縁部片、４８…円形縁部、４９…基点、５０…シガレットブロック、
【図面の簡単な説明】
【００２５】
【図１】閉鎖補助部を備えるヒンジ蓋付きパック用の展開ブランク。
【図２】カラー用ブランク。
【図３】閉じたヒンジ蓋付きパックの正面図であって、閉鎖補助部を表示するために蓋の領域を切り欠いた図。
【図４】図３の閉鎖補助部のインターロック位置における拡大図。
【図５】蓋の領域を切り欠いた図３と似たヒンジ蓋付きパックであって、蓋が部分的に開いた図。
【図６】図４の閉鎖補助部の拡大図すなわちインターロック用部材の挿通開始時の図。
【図７】蓋が一部開いたヒンジ蓋付きパックの上方蓋側部の略図。
【図８】図７の蓋が閉じた図。
【図９】図３のパックのIX―IX方向断面図。
【図１０】図５のヒンジ蓋付きパックのX―X方向断面図。
【図１】
2008513304.tif 000003
【図２】
2008513304.tif 000004
【図３】
2008513304.tif 000005
【図４】
2008513304.tif 000006
【図５】
2008513304.tif 000007
【図６】
2008513304.tif 000008
【図７】
2008513304.tif 000009
【図８】
2008513304.tif 000010
【図９】
2008513304.tif 000011
【図１０】
2008513304.tif 000012
【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
パック部(10)と、パックの後部壁(14)に関節状に取り付けられた蓋(11)と、パック部(10)に配置されたカラー(12)とを有するシガレット用のヒンジ蓋付きパックであって、前記パックは、カラーの前部壁(28)とカラーの両側部壁(29)を備え、前記両側部壁(29)の領域はパック部(10)から突出し、パックが閉じた位置において、蓋によって抱持されており、前記カラーの前部壁(28)は、切れ込み(30)を区画するためのウエブ(31)を備えており、
蓋の前部壁(19)の内側には、蓋の内側タブ(25)が取り付けられており、前記内側タブ(25)は、その少なくとも一方の側縁部(36)に、カラーの前部壁(28)のウエブ(31)が挿入される１つの凹部(37)を有し、前記ウエブ(31)の一部のエリアが、蓋の内側タブ(25)と蓋の前部壁(19)の間の領域内へと前進する、下記の(a)、(b)を特徴とするヒンジ蓋付きパック。
(a)凹部(37)の相対位置は、ウエブ(31)の、蓋の内側タブ(25)と蓋の前部壁(19)の間のインターロック位置への進入が、カラー(12)に抗する最大の縁部圧力すなわち最大の縁部押圧力が得られたときに開始されるように選択される
(b)縁部圧力すなわち縁部押圧力は、蓋(11)の閉鎖移動中に、蓋の前部壁(19)すなわち蓋の内側タブ(25)がカラーの前部壁(28)の上部横断方向縁部(35)に抗して支持し接触することによって決定される
【請求項２】
最大の縁部圧力は、仮想の横断方向線または横断方向面、すなわち、カラー前部壁(28)の横断方向縁部(35)と蓋の関節すなわち蓋(11)とパック部(10)の間にあって、蓋(11)の端部壁(21)に一時的に平行に伸びる直線状関節との間に延出する基面(40)によって規定される点を特徴とする請求項１記載のヒンジ蓋付きパック。
【請求項３】
ウエブ(31)のインターロック位置への進入の開始が、ウエブ(31)の円形の遷移部(34)と、蓋の内側タブ(25)の杷持フラップ(38)の内側を向く同様な円形の部分縁部(43)との合致した位置によって決定される点を特徴とする請求項１または２記載のヒンジ蓋付きパック。
【請求項４】
蓋の前部壁(19)とカラーの前部壁(28)の間の押圧量は、０．５mmと２．０mmの間、特に、０．８mmと１．６mmの間であり、前記押圧量(44)は、最大の縁部圧力に達したときのカラーの前部壁(28)の上部領域の仮想の変形量に相当する点を特徴とする請求項１記載のヒンジ蓋付きパック。
【請求項５】
凹部(37)によって区画される杷持用フラップ(38)は、エンボス線(39)によって境界が限られ、好ましくは、折り曲げによって予め成形される点を特徴とする請求項１記載のヒンジ蓋付きパック。
【請求項６】
凹部(37)は、好ましくは、１つの切れ込みを形成するための隣接する円弧状の内側縁部(45)によって、杷持用フラップ(38)の限界として、円弧状の部分縁部(43)によって、そして付随的に、同様な円弧状の縁部片(47)によって区画される点を特徴とする請求項１記載のヒンジ蓋付きパック。
【請求項７】
凹部(37)を形成する内側縁部(45)の内側限界に隣接して、凹部(37)内に1つの突出部(46)が形成され、前記突出部(46)は、蓋の内側タブ(25)がウエブ(31)に抗して接触する領域を規定する点を特徴とする請求項６記載のヒンジ蓋付きパック。
【国際調査報告】
2008513304.tif 000013
2008513304.tif 000014
2008513304.tif 000015
2008513304.tif 000016